(57)【要約】      （修正有）【課題】肝臓毒性を診断する方法、化合物が被験体において肝臓毒性誘導能があるかどうかを判定する方法、及び肝臓毒性の治療用薬物の同定方法を提供する。【解決手段】各性別について、異なるメタボロームパターン、すなわち異なるアナライトセットを開示する。肝臓毒性マーカーは、主に、遊離脂肪酸から選択されるが、様々なホスファリジルコリン、ヒドロキシフェニルピルビン酸、α-トコフェロール、コレステロール、ミオ-イノシトール-2-一リン酸、4-ヒドロキシスフィンガニン、セラミド（d18:1,C24:1）、セラミド（d18:2,C24:0）、スフィンゴミエリン（d18:1,C16:0）、1,2-ジオレオイル-sn-グリセロ-3-ホスファチジル-L-セリン、18:1リゾホスファチジルコリン、コエンザイムQ9、グルコース、グリセロール、グリセロールリン酸、リン酸塩、5-メトキシスフィンゴシンも含む。【選択図】なし【特許請求の範囲】
【請求項１】
肝臓毒性を診断する方法であって、
（a）肝臓毒性に罹患していることが疑われる雄被験体の試験サンプル中において、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの量、又は肝臓毒性に罹患していることが疑われる雌被験体の試験サンプル中において、少なくとも以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンの量を測定するステップ、並びに
（b）ステップ（a）において測定された量を参照と比較するステップであって、それによって肝臓毒性を診断する前記ステップ
を含む、前記方法。
【請求項２】
前記被験体が、肝臓毒性誘導能を有することが疑われる化合物と接触させたものである、請求項1に記載の方法。
【請求項３】
化合物が被験体において肝臓毒性誘導能を有するかどうか判定する方法であって、
（a）肝臓毒性誘導能を有することが疑われる化合物と接触させた雄被験体のサンプル中において、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの量、又は肝臓毒性誘導能を有することが疑われる化合物と接触させた雌の試験サンプル中において、以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも5つの量を測定するステップ；並びに
（b）ステップ（a）で測定された量を参照と比較するステップであって、それによって該化合物の肝臓毒性誘導能を判定する前記ステップ
を含む、前記方法。
【請求項４】
前記化合物が、ダゾメット、ジメチルホルムアミド、テトラヒドロフラン、酢酸シプロテロン、テトラヒドロフラン、酢酸シプロテロン、トキサフェン又はパラセタモールからなる群より選択される少なくとも1つの化合物である、請求項2又は3に記載の方法。
【請求項５】
前記参照が、（i）肝臓毒性に罹患している被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させた被験体に由来する、請求項1〜4のいずれか1項に記載の方法。
【請求項６】
試験サンプルと参照においてアナライトの量が本質的に同一であることが、肝臓毒性の指標となる、請求項5に記載の方法。
【請求項７】
前記参照が、（i）肝臓毒性に罹患していないことがわかっている被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させていない被験体に由来する、請求項1〜4のいずれか1項に記載の方法。
【請求項８】
前記参照が、被験体の集団におけるアナライトについて計算された参照である、請求項1〜4のいずれか1項に記載の方法。
【請求項９】
試験サンプル中においてアナライトの量が参照と比較して異なることが、肝臓毒性の指標となる、請求項7又は8に記載の方法。
【請求項１０】
肝臓毒性の指標となるのが、参照と比較して以下のように異なるアナライトの量である、請求項7〜9のいずれか1項に記載の方法。
（i）雄のサンプル中において：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリン、これらは全て増大し、並びに
（ii）雌被験体のサンプル中において：グリセロール-3-リン酸、コエンザイム Q9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリン、これらは全て増大する。
【請求項１１】
肝臓毒性の治療用物質を同定する方法であって、
（a）肝臓毒性治療能を有することが推測される候補物質と接触させた、肝臓毒性に罹患している雄被験体のサンプル中において、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの量、又は肝臓毒性治療能を有することが推測される候補物質と接触させた、肝臓毒性に罹患している雌被験体のサンプル中において、以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの量を測定するステップ；並びに
（b）ステップ（a）で測定した量を参照と比較するステップであって、それによって肝臓毒性治療能を有する物質を同定する前記ステップ
を含む、前記方法。
【請求項１２】
前記参照が、（i）肝臓毒性に罹患している被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させた被験体に由来する、請求項11に記載の方法。
【請求項１３】
試験サンプルと参照においてアナライトの量が異なることが、肝臓毒性治療能を有する物質の指標となる、請求項12に記載の方法。
【請求項１４】
肝臓毒性治療能を有する物質の指標となるのが、参照と比較して以下のように異なるアナライトの量である、請求項11〜13のいずれか1項に記載の方法。
（i）雄のサンプル中において：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリン、これらは全て減少し、並びに
（ii）雌被験体のサンプル中において：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリン、これらは全て減少する。
【請求項１５】
前記参照が、（i）肝臓毒性に罹患していないことがわかっている被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させていない被験体に由来する、請求項11に記載の方法。
【請求項１６】
前記参照が、被験体の集団におけるアナライトについて計算された参照である、請求項11に記載の方法。
【請求項１７】
試験サンプルと参照においてアナライトの量が本質的に同一であることが、肝臓毒性治療能を有する物質の指標となる、請求項15又は16に記載の方法。
【請求項１８】
前記肝臓毒性が、肝細胞壊死、肝炎、脂肪症、肝硬変、リン脂質症、胆汁鬱滞、胆管炎、肝静脈血栓症、肝腫瘍からなる群より選択される少なくとも1つの障害又は疾患を含む、請求項1〜21のいずれか1項に記載の方法。
【請求項１９】
アナライトの群の測定が、質量分析（MS）を含む、請求項1〜18のいずれか1項に記載の方法。
【請求項２０】
前記質量分析が、液体クロマトグラフィー（LC）-MS又はガスクロマトグラフィー（GC）-MSである、請求項19に記載の方法。
【請求項２１】
前記サンプルが、前記被験体の体液のサンプルである、請求項1〜20のいずれか1項に記載の方法。
【請求項２２】
前記体液が血液である、請求項21に記載の方法。
【請求項２３】
前記被験体が哺乳動物である、請求項1〜22のいずれか1項に記載の方法。
【請求項２４】
以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つについての特性値、及び／又は少なくとも以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンについての特性値を含む、データ集合。
【請求項２５】
請求項23に記載のデータ集合を含むデータ記憶媒体。
【請求項２６】
（a）サンプルの代謝物質の特性値を比較する手段と、それと作動可能に連結された
（b）請求項25に記載のデータ記憶媒体
とを含むシステム。
【請求項２７】
サンプル中のアナライトの特性値を測定する手段をさらに含む、請求項26に記載のシステム。
【請求項２８】
以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つ、及び／又は以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つ、あるいはそれらの測定手段、を含む診断用組成物。
【請求項２９】
（a）以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの特性値、及び／又は以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの特性値を測定する手段；並びに
（b）手段（a）によって測定された特性値に基づいて肝臓毒性を診断する手段
を含む、診断用デバイス。
【請求項３０】
肝臓毒性を診断するための診断用デバイス若しくは組成物の製造のための、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）18:1 Lyso PC若しくはホスファチジルコリンのうち少なくとも5つ、及び／又は以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの使用。
【請求項３１】
肝臓毒性を診断するための診断用デバイス若しくは組成物の製造のための、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）18:1 Lyso PC若しくはホスファチジルコリンのうち少なくとも5つ、及び／又は以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの測定手段の使用。
【発明の詳細な説明】
【技術分野】
【０００１】
本発明は、化合物のリスク分類のための毒物学的評価の分野に関する。具体的には、肝臓毒性を診断する方法に関する。また、化合物が被験体において該肝臓毒性誘導能があるかどうかを判定する方法、及び肝臓毒性の治療用薬物の同定方法にも関する。さらに本発明は、少なくとも5つの代謝物質の特性値を含むデータ集合、該データ集合を含むデータ記憶媒体、並びに肝臓毒性を診断するためのシステム及びデバイスに関する。最後に、本発明は、被験体において肝臓毒性を診断するための診断用デバイス又は組成物の製造のための、代謝物質群又はそれらの測定手段の使用に関する。
【背景技術】
【０００２】
肝臓毒性（肝毒性（Hepatotoxicity）とも称される）は、化学的に誘導又は駆動される肝臓障害を指す。肝臓は、体内における様々な内在性及び外来性化学物質の代謝に中心的役割を果たしている。中心的代謝器官としてのその機能のために、肝臓は、特に、毒物又はその代謝物質に由来する毒性の影響を受けやすい。
【０００３】
肝臓がさらされる化合物の中で、薬物、又は食物に含まれる栄養化合物のような自発的に服用される化合物、並びに環境から不可避的に摂取される化合物がある。毒性化合物は肝臓毒（hepatotoxin）とも称される。
【０００４】
多くの肝臓毒は、肝臓によって二段階法で化学的に修飾され得る。第一段階は、通常、化合物の官能化を含む。第二段階において、例えば胆汁を介した排出を可能にするため、官能化された化合物は共役（conjugated）される。肝臓毒の中には共役のみされるものもあり得る。主に酸化である官能化の過程において、特定の酸化酵素、すなわちシトクロムP450（CYP）酵素が関与している。いくつかの肝臓毒は直接的又は間接的にCYP酵素に影響を与え、それ故、それ自身又は他の肝臓毒の生理的解毒を妨げる（Jaeschke 2002, Toxicol Sci. 65（2）: 166-76; Sturgill 1997, Clin. Chem. 43（8）: 1512-1526）。
【０００５】
肝臓毒性は、肝細胞壊死、肝炎、脂肪症、肝硬変、リン脂質症、胆汁鬱滞、胆管炎、肝静脈血栓症、肝腫瘍を含む様々な障害、疾患又は医学的状態によって被験体において明らかになり得る（例えば、Grunhagen 2003, Z. Gastroenterol. 41（6）: 565-578を参照）。肝臓毒の投与の結果として観察される最も一般的な障害は、誘導性肝細胞壊死又は線維症である。それは、アラニントランスアミナーゼ、アスパラギン酸トランスアミナーゼ及びγ-グルタミルトランスフェラーゼのレベルの増加、並びに進行期において急性肝不全を伴い得る。前記壊死を誘導する典型的な肝臓毒は四塩化炭素である。肝炎は、肝臓への炎症細胞の浸潤を伴う炎症性疾患である。それは、例えばA型、B型及びC型肝炎ウイルス（HPV）のようなウイルスによって引き起こされ得るか、あるいはハロタン、ジクロフェナク若しくはアスピリンのような化合物若しくは薬物への暴露によって、又は胆汁の生成若しくは流量の障害の結果として引き起こされ得る。胆汁鬱滞は、胆汁流量障害を特徴とする。それは、例えば、経口避妊薬、タンパク同化ステロイド、又はアロプリノールによって引き起こされ得る。脂肪症は、微小空胞又は大空胞脂肪肝をもたらすトリグリセリド蓄積を伴う。特別な種類の脂肪症は、リン脂質症である。脂肪症に関与する化合物は、例えば、アスピリン、ケトプロフェン又はテトラサイクリンである。血管病変も肝臓毒暴露の結果として報告されている。そのような病変として、例えば肝静脈血栓症がある。さらに肝臓毒は、肝細胞癌、血管肉腫及び肝腺腫を含む肉芽腫又は新生腫瘍（neoplastic tumor）のような肝臓腫瘍の発生に関与し得る。新生腫瘍は、例えば塩化ビニルによって誘導され得る（例えば、Weber 2003, Crit. Rev. Toxicol. 33（2）: 105-36; Chitturi 2002, Semin Liver Dis. 22（2）: 169-83; Scheen 2001, Diabetes Metab. 27（3）: 305-313; Rikans 2000, J Biochem Mol Toxicol. 14（2）: 110-117; Fromenty 1995, Pharmacol. Ther. 67（1） 101-154; Kaplowitz 1986, Ann Intern. Med. 104(6）: 826-839を参照）。
【０００６】
肝臓毒の起こり得る作用の多様性のため、肝臓毒性の評価はかなり複雑な過程である。現在の方法は、通常、臨床試験（例えば超音波検査法）、病理学的及び組織病理学的試験、並びに生化学的分析を含む。現在分析されている主な生化学マーカーは、アラニントランスアミナーゼ、アスパラギン酸トランスアミナーゼ、アルカリホスファターゼ及びビリルビンである。しかし、これらのバイオマーカーは、かなり複雑に制御されており、かなり進行期においてさえ時々変化が起こり得る。組織病理学的評価の主な欠点は、侵襲的であること、そして臨床病理学測定と組み合わせた場合でも、試験を実施している毒物学者の個人的解釈に部分的に基づくために、信頼性に欠けることである。さらに、肝臓毒誘導性肝臓毒性（例えば薬物誘導性肝臓毒性）の結果として生じる上述の疾患及び障害は、現在の臨床測定によっては、該疾患又は障害の他の原因とほとんど見分けることができない（Gunawan 2004, Drug Metab. Rev. 36（2）: 301-312）。
【０００７】
薬物誘導性肝臓毒性の最新の評価は、CDER/CBER Draft Guidance for Industry: Drug-Induced Liver Injury: Premarketing Clinical Evaluation, October 2007及びEMEA （CHMP） Draft Guideline: Non-Clinical Guideline on Drug-Induced Hepatotoxicity, 24 January 2008 （Doc Ref EMEA/CHMP/SWP/1150115/2006）に記載されている。
【０００８】
肝臓毒性が、現在、市場から薬物が回収される最も一般的な理由であることを考えれば、肝臓毒性の重要性は明らかになるだろう。さらに、欧州共同体におけるあらゆる種類の産業で使用される化合物は、例えば、現在、REACH（Registration, Evaluation and Authorisation of Chemicals）に従う必要がある。化合物が肝臓毒性を誘導する能力は、該化合物にとって高いリスクであるとみなされ、その結果、該化合物は、限られた用途であり、かつ、高い安全基準に従う場合にのみ利用できることは理解されるだろう。
【先行技術文献】
【非特許文献】
【０００９】
【非特許文献１】Jaeschke 2002, Toxicol Sci. 65（2）: 166-76
【非特許文献２】Sturgill 1997, Clin. Chem. 43（8）: 1512-1526
【非特許文献３】Grunhagen 2003, Z. Gastroenterol. 41（6）: 565-578
【非特許文献４】Weber 2003, Crit. Rev. Toxicol. 33（2）: 105-36
【非特許文献５】Chitturi 2002, Semin Liver Dis. 22（2）: 169-83
【非特許文献６】Scheen 2001, Diabetes Metab. 27（3）: 305-313
【非特許文献７】Rikans 2000, J Biochem Mol Toxicol. 14（2）: 110-117
【非特許文献８】Fromenty 1995, Pharmacol. Ther. 67（1） 101-154
【非特許文献９】Kaplowitz 1986, Ann Intern. Med. 104(6）: 826-839
【非特許文献１０】Gunawan 2004, Drug Metab. Rev. 36（2）: 301-312
【非特許文献１１】CDER/CBER Draft Guidance for Industry: Drug-Induced Liver Injury: Premarketing Clinical Evaluation, October 2007
【非特許文献１２】EMEA （CHMP） Draft Guideline: Non-Clinical Guideline on Drug-Induced Hepatotoxicity, 24 January 2008 （Doc Ref EMEA/CHMP/SWP/1150115/2006）
【発明の概要】
【発明が解決しようとする課題】
【００１０】
化合物の毒性、特に肝臓毒性を効率的かつ信頼できるように評価するための高感度かつ特異的な方法は、まだ利用可能ではないが、それでもなお、大いに歓迎されるだろう。
【００１１】
従って、本発明の根底にある技術的課題は、上述のニーズを満たすための手段及び方法の提供とみなすことができる。
【課題を解決するための手段】
【００１２】
この技術的課題は、特許請求の範囲に特徴付けられておりかつ本明細書の以下に記載されている実施形態により解決される。
【００１３】
従って、本発明は、肝臓毒性を診断する方法であって、
（a）肝臓毒性に罹患していることが疑われる雄被験体の試験サンプル中において、以下のアナライト、すなわち4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、リゾ（lyso）グリセロホスホリルコリン（18:1 Lyso PC）若しくはホスファチジルコリンのうち少なくとも1つ、好ましくは少なくとも5つの量、又は肝臓毒性に罹患していることが疑われる雌被験体の試験サンプル中において、以下のアナライト、すなわちグリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも1つ、好ましくは少なくとも5つの量を測定するステップ、並びに
（b）ステップ（a）において測定された量を参照と比較するステップであって、それによって肝臓毒性を診断する前記ステップ
を含む、前記方法に関する。
【図面の簡単な説明】
【００１４】
【図１】図1は、ラット血漿の脂質画分に見出された脂質分子マーカーID28x493の、SIMにより記録したGC保持時間プロフィールを示す。
【図２】図2は、ID28x493のEI GCMSスペクトルを示す。
【図３】図3は、18:1 Lyso PCのフラグメンテーションパターンを示す。
【図４−１】図4は、ホスファチジルコリン（C18:2, C20:4）のフラグメンテーションパターンを示す。
【図４−２】図4は、ホスファチジルコリン（C18:2, C20:4）のフラグメンテーションパターンを示す。
【図５】図5は、セラミド（d18:1, C24:1）のフラグメンテーションパターンを示す。
【図６】図6は、セラミド（d18:1, C24:0）のフラグメンテーションパターンを示す。
【図７−１】図7は、スフィンゴミエリン（d18:1, C16:0）のフラグメンテーションパターンを示す。
【図７−２】図7は、スフィンゴミエリン（d18:1, C16:0）のフラグメンテーションパターンを示す。
【図８−１】図8は、ホスファチジルコリン（C18:0/C22:6）のフラグメンテーションパターンを示す。
【図８−２】図8は、ホスファチジルコリン（C18:0/C22:6）のフラグメンテーションパターンを示す。
【発明を実施するための形態】
【００１５】
ID28x493は、GCMSシングルイオンモニタリングによって測定した場合にクロマトグラフィー保持時間17.39分において91 Daの見かけ上のm/zを有する脂質分子を指し、前記脂質分子はラット脂質血漿画分から得ることができる。より好ましくは、この脂質分子のGCMSスペクトルは添付の図に見出すことができる。
【００１６】
上記アナライトのいくつかは、分子のクラスである。これらのアナライトは、例えば「ホスファチジルコリン」はあらゆる種類のホスファチジルコリンを指し、「トリアシルグリセリド」はあらゆる種類のTAGを指すことを含む。しかし、いくつかの種類のホスファチジルコリンは特に好ましく、従って、その脂肪酸部分に関して、例えば「ホスファチジルコリン（C18:0/C22:6）」とさらに特定される。
【００１７】
より具体的には、用語は、好ましくは、以下の意味を有する。
【００１８】
本明細書で意味する「18:1 Lyso PC」という用語は、好ましくは、C18:1脂肪酸単位を含むリゾグリセロホスホリルコリンの和パラメーターを特徴とする分子種を指す。イオン化種の質量対電荷比（m/z）は522.4 Da（+/- 0.3 Da）である。好ましいフラグメンテーションパターンは以下の図3に示されている。
【００１９】
本明細書で意味する「ホスファチジルコリン（C18:2, C20:4）」という用語は、好ましくは、C16:0脂肪酸単位及びC22:6脂肪酸単位の組み合わせ、又はC18:2脂肪酸単位及びC20:4脂肪酸単位の組み合わせのいずれかを含むグリセロホスホリルコリンの和パラメーターを特徴とする分子種を指す。イオン化種の質量対電荷比（m/z）は806.6 Da（+/- 0.3 Da）である。好ましいフラグメンテーションパターンは以下の図4に示されている。
【００２０】
本明細書で用いる「セラミド（d18:1, C24:1）」という用語は、好ましくは、d18:1長鎖基本単位及びC24:1脂肪酸単位の組み合わせ、又はd18:2長鎖基本単位及びC24:0脂肪酸単位の組み合わせのいずれかを含むセラミドの和パラメーターを特徴とする分子種を指す。イオン化種の質量対電荷比（m/z）は648.6 Da（+/- 0.3 Da）である。好ましいフラグメンテーションパターンは以下の図5に示されている。
【００２１】
本明細書で用いる「DAG（C18:1, C18:2）」という用語は、好ましくは、C18:1脂肪酸単位及びC18:2脂肪酸単位の組み合わせを含むジアシルグリセロールの和パラメーターを特徴とする分子種を指す。イオン化種の質量対電荷比（m/z）は641.6 Da（+/- 0.3 Da）である。
【００２２】
本明細書で用いる「セラミド（d18:1, C24:0）」という用語は、好ましくは、d18:1長鎖基本単位及びC24:0脂肪酸単位の組み合わせを含むセラミドの和パラメーターを特徴とする分子種を指す。イオン化種の質量対電荷比（m/z）は650.8 Da（+/- 0.3 Da）である。好ましいフラグメンテーションパターンは以下の図6に示されている。
【００２３】
本明細書で用いる「TAG」という用語は、好ましくは、トリアシルグリセロールの和パラメーターを特徴とする分子種を指す。イオン化種の質量対電荷比（m/z）は547.6 Da（+/- 0.3 Da）である。
【００２４】
本明細書で用いる「スフィンゴミエリン（d18:1, C16:0）」という用語は、好ましくは、d18:1長鎖基本単位及びC16:0脂肪酸単位の組み合わせを含むスフィンゴミエリンの和パラメーターを特徴とする分子種を指す。イオン化種の質量対電荷比（m/z）は703.6 Da（+/- 0.3 Da）である。好ましいフラグメンテーションパターンは以下の図7に示されている。
【００２５】
本明細書で用いる「ホスファチジルコリン」という用語は、好ましくは、グリセロホスホリルコリンの和パラメーターを特徴とする分子種を指す。イオン化種の質量対電荷比（m/z）は780.8 Da（+/- 0.3 Da）である。
【００２６】
本明細書で用いる「1,2-ジオレオイル-sn-グリセロ-3-ホスファチジル-L-セリン」という用語は、好ましくは、総数36個の炭素及び総数1個の二重結合を有する脂肪酸単位を含むグリセロホスホリルコリンの和パラメーターを特徴とする分子種を指す。イオン化種の質量対電荷比（m/z）は788.6 Da（+/- 0.3 Da）である。
【００２７】
本明細書で用いる「ホスファチジルコリン（C18:0/C22:6）」という用語は、好ましくは、C18:0脂肪酸単位及びC22:6脂肪酸単位の組み合わせを含むグリセロホスホリルコリンの和パラメーターを特徴とする分子種を指す。イオン化種の質量対電荷比（m/z）は834.6 Da（+/- 0.3 Da）である。好ましいフラグメンテーションパターンは以下の図8に示されている。
【００２８】
本発明において記載する「診断する方法」という表現は、本方法が基本的に上述のステップよりなるか又はさらなるステップを含んでもよいことを意味する。しかし、本方法は、好ましい実施形態において、生体外（ex vivo）で行われる方法、すなわち、人体又は動物体で実施されない方法であることは理解されるだろう。本明細書で用いる診断とは、被験体が疾患に罹患している可能性を評価することを指す。当業者であればわかるだろうが、そのような評価は、診断される被験体の100％に対して正しいことが好ましいが、通常はそうでない可能性がある。しかし、この用語は、統計学的に有意な一部の被験体を疾患に罹患しているか又はその素因を有していると同定可能であることを必要とする。当業者であれば、あとは苦もなく、種々の周知の統計学的評価ツールを用いて、例えば、信頼区間の決定、p値の決定、ウェルチの検定、マン・ホイットニー検定などを行って、一部が統計学的に有意であるかどうかを判定することができる。詳細は、Dowdy and Wearden, Statistics for Research, John Wiley & Sons, New York 1983に見い出される。好ましい信頼区間は、少なくとも50％、少なくとも60％、少なくとも70％、少なくとも80％、少なくとも90％、少なくとも95％である。p値は、好ましくは0.2、0.1、0.05である。
【００２９】
本発明において診断は、関連疾患又はその症状のモニタリング、確認、及び分類を含む。モニタリングは、例えば、疾患の進行を分析したり、疾患期間中又は疾患の奏効的治療の後に生じる疾患又は合併症の進行に及ぼす特定の治療の影響を分析するために、すでに診断された疾患を追跡することに関する。確認は、他の指標又はマーカーを用いてすでに行われた診断を強化又は実証することに関する。
【００３０】
分類は、症状の強さ又は種類に基づいて診断結果を様々なクラスに割り当てることに関する。肝臓毒性に関連して現れる疾患又は状態のいくつかには、さらなる代謝変化が伴い得る。好ましくは、胆汁鬱滞について、上述のアナライトに加え、以下の表に記載する血清中の胆汁酸の量が増加することが本発明において見出されている。
【００３１】
2015038497.tif 000002
【００３２】
さらに、分類はまた、好ましくは、本発明の方法によって試験される化合物に作用機序を割り当てることを含む。具体的には、本発明の方法は、その作用機序がまだ知られていない化合物の特定の作用機序の決定を可能にする。これは、好ましくは、前記化合物についてバイオマーカーを表す測定されたアナライト（すなわちバイオマーカープロフィール）を、参照として作用機序がわかっている化合物のバイオマーカープロフィールと比較することによって達成される（例えば、パラセタモールに由来する肝臓毒性。ここでパラセタモールは酸化的ストレスの結果としてグルタチオン枯渇を誘導することによって細胞壊死を引き起こす）。作用機序の分類は、化合物の分子標的が同定されるために、化合物の毒性のさらにより信頼できる評価を可能にする。この同定のために、肝臓毒性に影響を与えるさらなるパラメーターを考慮に入れることができる。好ましくは、CYP酵素に影響を与えることが見出されている化合物は、様々な遺伝学的なCYP酵素の表現型、例えば不全の、速い又は中間的な新陳代謝表現型に関してさらに評価され得る。結果として、CYP酵素に影響を与える化合物は、不全の新陳代謝表現型では肝臓に毒性であり、速い新陳代謝表現型では肝臓に毒性ではない可能性があると評価することができる。従ってこれは、もちろん、肝機能に関与する他の酵素又はパラメーターに当てはまる。
【００３３】
本明細書で用いる「肝臓毒性」（「肝毒性」とも称される）という用語は、肝機能障害を引き起こす肝臓の損傷に関する。好ましくは、肝臓毒性によって影響を受けるのは、肝臓の代謝、解毒、及び胆汁排出機能である。好ましくは、本明細書で用いる肝臓毒性は、化合物又は薬物の投与によって誘導されるか、又はその結果であり、すなわち、いわゆる肝臓毒誘導性肝臓毒性である。より好ましくは、肝臓毒性は、以下の群から1つ以上の病気又は疾患により明らかとなる：肝細胞壊死、肝炎、脂肪症、肝硬変、リン脂質症、胆汁鬱滞、胆管炎、肝静脈血栓症、肝腫瘍。肝臓毒性の上述した発現の症状及び臨床兆候は、当業者に周知であり、H. Marquardt, S. G. Schafer, R. O. McClellan, F. Welsch（編）, “Toxicology”, Chapter 13: The Liver, 1999, Academic Press, Londonに詳細に記載されている。
【００３４】
本発明の方法において測定される各アナライトは、単独で分析される場合には、本明細書に記載する疾患又は障害を診断するのにも適している。しかし、各アナライトが見かけ上統計的に独立した診断について等価の予測因子であるために、少なくとも5つの異なるアナライトの組み合わせは診断結果をさらに強化することが、本発明において見出された。さらに、他の組織からのマーカー量への影響が相殺されるため、肝臓毒性に対する特異性も有意に増加する。特定の肝臓毒性化合物クラスのための好ましいマーカーの組み合わせは、以下の表1〜4のいずれかに見出される組み合わせである。
【００３５】
上述のアナライトの少なくとも5つからなる群に加えて、さらなるアナライトが、好ましくは、本発明の方法において測定されることは理解されるだろう。さらなるアナライトも、好ましくは上述の群から選択される。言い換えれば、好ましくは、上述の群のアナライトのうち少なくとも6、少なくとも7、少なくとも8、少なくとも9、少なくとも10又は全てが本発明の方法において測定される。これらのアナライトのさらなる測定は、本発明の方法によって得られる結果をより一層強化する。さらに、他のアナライト又は代謝物質（すなわち上述の群に具体的に記載されていない代謝物質）又はバイオマーカー（酵素など）が、さらに加えて測定されてもよい。好ましくは、本発明の方法において測定されるさらなるパラメーターは、アラニンアミノトランスフェラーゼ、アスパラギン酸アミノトランスフェラーゼ、γ-グルタミルトランスフェラーゼ、グルタミン酸デヒドロゲナーゼ、ソルビットデヒドロゲナーゼ（sorbit dehydrogenase）、オルニチンカルバミルトランスフェラーゼ、アルブミン、総タンパク質、アンモニウム、コレステロール、トリグリセリド又はプロトロンビン時間（血液凝固）である。さらに追加のパラメーターは、好ましくは、全シトクロムP450量、アルコキシレゾルフィン-O-デエチラーゼ（Alkoxyresorufin-O-Deethylase）、4-ヒドロキシビフェニル-UDP-グルクロノシルトランスフェラーゼ又は4-メチルウンベリフェロン-UDP-グルクロノシルトランスフェラーゼである。
【００３６】
特定の好ましい実施形態において、雄のサンプル中における少なくとも1つのアナライトは以下からなる群より選択される：パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ミオ-イノシトール-2-一リン酸、ベヘン酸（C22:0）、ネルボン酸（C24:1）、及びエイコサトリエン酸（C20:3）。さらにより好ましい実施形態において、上述のアナライトの全てが測定される。
【００３７】
しかし、本発明において測定される少なくとも5つのアナライトの群において、1、2、3、又は4つのアナライトが上述の好ましいアナライトの群から選択され、一方、残りのアナライトは本明細書の他の箇所に明記される雄のサンプルについてのアナライトであることも好ましくは想定される。
【００３８】
従って、本発明において測定される5つのアナライトの好ましい群の第一アナライトがパルミチン酸（C16:0）である場合、残りの4つのアナライトは以下のアナライトからなる群より選択される：4-ヒドロキシフェニルピルビン酸、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、リゾグリセロホスホリルコリン（18:1 Lyso PC）又はホスファチジルコリン。
【００３９】
第一及び第二アナライトがパルミチン酸（C16:0）及びリノール酸（C18:cis[9,12]2）である場合、残りの3つのアナライトは以下からなる群より選択される：4-ヒドロキシフェニルピルビン酸、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リゾグリセロホスホリルコリン（18:1 Lyso PC）又はホスファチジルコリン。
【００４０】
第一、第二及び第三アナライトがパルミチン酸（C16:0）、リノール酸（C18:cis[9,12]2）及びアラキドン酸（C20:cis-[5,8,11,14]4）である場合、残りの2つのアナライトは以下からなる群より選択される：4-ヒドロキシフェニルピルビン酸、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リゾグリセロホスホリルコリン（18:1 Lyso PC）又はホスファチジルコリン。
【００４１】
第一、第二、第三及び第四アナライトがパルミチン酸（C16:0）、リノール酸（C18:cis[9,12]2）、アラキドン酸（C20:cis-[5,8,11,14]4）及びドコサヘキサエン酸（C22:cis[4,7,10,13,16,19]6）である場合、残りのアナライトは以下からなる群より選択される：4-ヒドロキシフェニルピルビン酸、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リゾグリセロホスホリルコリン（18:1 Lyso PC）又はホスファチジルコリン。
【００４２】
特定の好ましい実施形態において、雌における少なくとも1つのアナライトは以下からなる群より選択される：パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、リグノセリン酸（C24:0）、ベヘン酸（C22:0）、ネルボン酸（C24:1）、リノール酸（C18:cis[9,12]2）又はトレオン酸。さらにより好ましい実施形態において、上述のアナライトの6つ全てが測定される。しかし、本発明において測定される少なくとも5つのアナライトの群において、1、2、3、又は4つのアナライトが上述の好ましいアナライトの群から選択され、一方、残りのアナライトは本明細書の他の箇所に明記される雌のサンプルについてのアナライトであることが好ましくは想定される。
【００４３】
しかし、本発明において測定される少なくとも5つのアナライトの群において、1、2、3、又は4つのアナライトが上述の好ましいアナライトの群から選択され、一方、残りのアナライトは本明細書の他の箇所に明記される雄のサンプルについてのアナライトであることも好ましくは想定される。
【００４４】
従って、本発明において測定される5つのアナライトの好ましい群の第一アナライトがパルミチン酸（C16:0）である場合、残りの4つのアナライトは以下のアナライトからなる群より選択される：グリセロール-3-リン酸、コエンザイムQ9、グルコース、グリセロール、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）又はホスファチジルコリン。
【００４５】
第一及び第二アナライトがパルミチン酸（C16:0）及びステアリン酸（C18:0）である場合、残りの3つのアナライトは以下からなる群より選択される：グリセロール-3-リン酸、コエンザイムQ9、グルコース、グリセロール、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）又はホスファチジルコリン。
【００４６】
第一、第二及び第三アナライトがパルミチン酸（C16:0）、ステアリン酸（C18:0）及びアラキドン酸（C20:cis-[5,8,11,14]4）である場合、残りの2つのアナライトは以下からなる群より選択される：グリセロール-3-リン酸、コエンザイムQ9、グルコース、グリセロール、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）又はホスファチジルコリン。
【００４７】
第一、第二、第三及び第四アナライトがパルミチン酸（C16:0）、ステアリン酸（C18:0）、アラキドン酸（C20:cis-[5,8,11,14]4）及びドコサヘキサエン酸（C22:cis[4,7,10,13,16,19]6）である場合、残りのアナライトは以下からなる群より選択される：グリセロール-3-リン酸、コエンザイムQ9、グルコース、グリセロール、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）又はホスファチジルコリン。
【００４８】
本明細書で用いるアナライトは、特定のアナライトの少なくとも1つの分子から該特定のアナライトの複数の分子までを指す。さらに、アナライトの群は、各アナライトごとに少なくとも1分子〜複数分子が存在し得る、複数の化学的に異なる分子を意味することが理解されるだろう。本発明において、アナライトは、全てのクラスの有機又は無機の化合物、例えば生物のような生物学的材料に含まれるものを含む。好ましくは、本発明において、アナライトは小分子化合物である。より好ましくは、複数のアナライトが想定される場合、各アナライトは代謝物質を表し、複数の代謝物質はメタボロームを表すことは理解されるだろう。メタボロームは、特定の時間に特定の条件下で生物、器官、組織又は細胞に含まれる代謝物質の集合である。
【００４９】
代謝物質は、代謝経路の酵素に対する基質、そのような経路の中間体、又は代謝経路により得られる産物のような小分子化合物である。代謝経路は、当技術分野で周知であり、種間で異なる可能性がある。好ましくは、該経路は、少なくとも、クエン酸回路、呼吸鎖、解糖、糖新生、ヘキソース一リン酸経路、酸化的ペントースリン酸経路、脂肪酸の産生及びβ酸化、尿素回路、アミノ酸生合成経路、タンパク質分解経路、例えばプロテアソームによる分解、アミノ酸分解経路、次の物質の生合成又は分解を含む：脂質類、ポリケチド類（例えば、フラボノイド類及びイソフラボノイド類を含む）、イソプレノイド類（例えば、テルペン類、ステロール類、ステロイド類、カロテノイド類を含む）、炭水化物類、フェニルプロパノイド類及びその誘導体、アルカロイド類、ベンゼノイド類、インドール類、インドール硫黄化合物類、ポルフィリン類、ホルモン類、ビタミン類、補因子、例えば補欠分子族若しくは電子伝達体、リグニン、グルコシノレート類、プリン類、ピリミジン類、ヌクレオシド類、ヌクレオチド類及び関連分子、例えばtRNA、マイクロRNA（miRNA）若しくはmRNA。従って、小分子化合物代謝物質は、好ましくは、次のクラスの化合物を含む：アルコール類、アルカン類、アルケン類、アルキン類、芳香族化合物類、ケトン類、アルデヒド類、カルボン酸、エステル類、アミン類、イミン類、アミド類、シアニド類、アミノ酸類、ペプチド類、チオール類、チオエステル類、リン酸エステル類、硫酸エステル類、チオエーテル類、スルホキシド類、エーテル類、又は上述の化合物の組合せ若しくは誘導体。代謝物質のうちの小分子は、正常な細胞機能、器官機能、又は動物の成長、発育、若しくは健康に必要とされる一次代謝物質であり得る。さらに、小分子代謝物質は、不可欠な生態学的機能を有する二次代謝物質、例えば、生物をその環境に適応できるようにする代謝物質をも含む。その上さらに、代謝物質は、該一次代謝物質及び該二次代謝物質に限定されるものではなく、人工小分子化合物をも含む。該人工小分子化合物は、投与されるか又は生物により取り込まれるが上で定義したような一次代謝物質でも二次代謝物質でもない外因的に供給される小分子に由来する。例えば、人工小分子化合物は、動物の代謝経路により薬物から得られる代謝産物であってもよい。さらに、代謝物質は、ペプチド類、オリゴペプチド類、ポリペプチド類、オリゴヌクレオチド類、及びポリヌクレオチド類、例えばRNA若しくはDNAをも含む。より好ましくは、代謝物質は、50 Da（ダルトン）〜30,000 Da、最も好ましくは30,000 Da未満、20,000 Da未満、15,000 Da未満、10,000 Da未満、8,000 Da未満、7,000 Da未満、6,000 Da未満、5,000 Da未満、4,000 Da未満、3,000 Da未満、2,000 Da未満、1,000 Da未満、500 Da未満、300 Da未満、200 Da未満、100 Da未満の分子量を有する。しかし、好ましくは、代謝物質は少なくとも50 Daの分子量を有する。最も好ましくは、本発明において、代謝物質は50 Da〜1,500 Daの分子量を有する。
【００５０】
本発明において意味するアナライトは、精製及び／又は測定過程のために、天然に存在する代謝物質に由来する分子種である。いくつかの場合に、アナライトは同一である。しかし、他の場合には、アナライトはその化学的誘導体である。それでもなお、アナライトの出現は、必ず代謝物質の発生について結論を導くことを可能にすることは理解されるだろう。
【００５１】
本明細書で用いる「試験サンプル」という用語は、本発明の方法による肝臓毒性の診断に使用されるサンプルを指す。該試験サンプルは生物学的サンプルである。生物源に由来するサンプル（すなわち生物学的サンプル）は、通常、複数の代謝物質を含む。本発明の方法に使用される好ましい生物学的サンプルは、体液、好ましくは血液、血漿、血清、唾液、胆汁、尿、若しくは脳脊髄液に由来するサンプル、又は生検などにより細胞、組織、若しくは器官、好ましくは肝臓から得られるサンプルである。より好ましくは、サンプルは血液、血漿又は血清サンプルであり、最も好ましくは血漿サンプルである。生物学的サンプルは、本明細書の他の箇所に記載される被験体に由来する。上述の様々な種類の生物学的サンプルを取得するための技術は、当技術分野で周知である。例えば、血液サンプルは、血液採取により取得可能であり、一方、組織又は器官サンプルは、生検などにより取得可能である。
【００５２】
上述のサンプルは、好ましくは、本発明の方法に使用される前に前処理される。以下にさらに詳細に記載されるように、この前処理には、化合物の遊離若しくは分離又は過剰の材料若しくは廃物の除去に必要な処理が含まれ得る。好適な技術には、遠心分離、抽出、分画、限外濾過、タンパク質沈降とそれに続く化合物の濾過及び精製、並びに／又は濃縮が含まれる。さらに、化合物分析に好適な形態又は濃度で化合物を提供するために、他の前処理が行われる。例えば、本発明の方法でガスクロマトグラフィー連結質量分析を使用する場合、該ガスクロマトグラフィーを行う前に化合物を誘導体化する必要があるだろう。好適な所要の前処理は、本発明の方法を実施するために使用される手段に依存し、そして当業者に周知である。上に記載したように前処理されたサンプルもまた、本発明において用いる「サンプル」という用語に含まれる。
【００５３】
本明細書で用いる「被験体」という用語は、動物、好ましくは哺乳動物、例えばマウス、ラット、モルモット、ウサギ、ハムスター、ブタ、ヒツジ、イヌ、ネコ、ウマ、サル、若しくはウシなど、及び同様に好ましくはヒトに関する。より好ましくは、被験体は、げっ歯動物であり、最も好ましくはラットである。本発明の方法を適用して診断し得る他の動物は、魚類、鳥類又は爬虫類である。好ましくは、該被験体は、肝臓毒性誘導能を有すると疑われる化合物と接触させたか、又は接触させているものである。肝臓毒性を誘導すると疑われる化合物と接触させた被験体は、例えば化合物の毒性に関するスクリーニングアッセイに用いられる例えば実験動物（ラットなど）であり得る。肝臓毒性誘導能がある化合物と接触している疑いのある被験体は、好適な治療を選択するために診断する必要がある被験体でもあり得る。好ましくは、本明細書で用いる肝臓毒性誘導能を有する化合物は、ダゾメット、ジメチルホルムアミド、テトラヒドロフラン、酢酸シプロテロン、テトラヒドロフラン、酢酸シプロテロン、トキサフェン又はパラセタモールである。
【００５４】
本明細書で用いる「量の測定」という用語は、前記少なくとも5つのアナライトの各アナライトの少なくとも1つの特徴的特性を測定することを指す。本発明における特徴的特性は、アナライトの生化学的性質を含む物理的及び／又は化学的性質を特徴付ける特性である。そのような性質としては、例えば、分子量、粘度、密度、電荷、スピン、光学活性、色、蛍光、化学発光、元素組成、化学構造、他の化合物と反応する能力、生物学的読取り系で応答を引き起こす能力（例えば、レポーター遺伝子の誘導）などが挙げられる。該性質の値は、特徴的特性として機能し得る。また、当技術分野で周知の技術により測定可能である。さらに、特徴的特性は、標準的操作、例えば、乗算、除算、又は対数計算のような数学的計算によりアナライトの物理的及び／又は化学的性質の値から導かれる任意の特性であってもよい。最も好ましくは、少なくとも1つの特徴的特性は、アナライト及びその量の測定及び／又は化学的同定を可能にする。従って、特性値は、好ましくは、その特性値を導いた代謝物質の存在量に関する情報も含む。例えば、代謝物質の特性値は、質量スペクトルのピークであり得る。かかるピークは、代謝物質の特徴的な情報、すなわちm/z（質量対電荷比）情報、並びにサンプル中のそのアナライトの存在量（すなわちその量）に関する強度値を含む。
【００５５】
上述したように、本発明の方法において測定されるアナライトの群の各アナライトは、好ましくは、定量的又は半定量的に測定され得る。定量的測定では、本明細書において上に記載する特徴的特性（複数可）に関して測定される値に基づいて、代謝物質の絶対量若しくは正確な量が測定されるか又はアナライトの相対量が測定されるかのいずれかだろう。アナライトの正確な量を測定できないか又は測定しない場合、相対量を測定し得る。この場合、アナライトの存在量が、該代謝物質を第2の量で含む第2のサンプルと対比して増大又は低減されているかどうかを、測定することが可能である。従って、アナライトの定量分析は、アナライトの半定量分析と称されることもある分析をも含む。
【００５６】
さらに、本発明の方法で用いる測定は、好ましくは、上に記載する分析ステップの前に化合物分離ステップを使用することを含む。好ましくは、該化合物分離ステップでは、サンプルに含まれるアナライトの時間分解分離が得られる。従って、好ましくは、本発明において使用される分離に好適な技術としては、全てのクロマトグラフィー分離技術、例えば、液体クロマトグラフィー（LC）、高速液体クロマトグラフィー（HPLC）、ガスクロマトグラフィー（GC）、薄層クロマトグラフィー、サイズ排除クロマトグラフィー、又はアフィニティークロマトグラフィーが挙げられる。これらの技術は、当技術分野で周知であり、当業者であればあとは苦もなく適用可能である。最も好ましくは、LC及び／又はGCが、本発明の方法で想定されるクロマトグラフィー技術である。代謝物質のそのような測定に好適なデバイスは、当技術分野で周知である。好ましくは、質量分析、特には、ガスクロマトグラフィー質量分析（GC-MS）、液体クロマトグラフィー質量分析（LC-MS）、直接注入質量分析若しくはフーリエ変換イオンサイクロトロン共鳴質量分析（FT-ICR-MS）、キャピラリー電気泳動質量分析（CE-MS）、高速液体クロマトグラフィー連結質量分析（HPLC-MS）、四重極質量分析、任意の逐次連結質量分析、例えばMS-MS若しくはMS-MS-MS、誘導結合プラズマ質量分析（ICP-MS）、熱分解質量分析（Py-MS）、イオン移動度質量分析、又は飛行時間質量分析（TOF）が使用される。最も好ましくは、以下に詳細に記載されるようにLC-MS及び／又はGC-MSが使用される。この技術については、例えば、Nissen, Journal of Chromatography A, 703, 1995: 37-57、米国特許第4,540,884号、又は米国特許第5,397,894号（その開示内容は参照により本明細書に援用される）に開示されている。質量分析技術の他の選択肢として又はそれに追加して、次の技術を化合物測定に使用可能である：核磁気共鳴（NMR）、磁気共鳴イメージング（MRI）、フーリエ変換赤外分析（FT-IR）、紫外（UV）分光、屈折率（RI）、蛍光検出、放射化学的検出、電気化学的検出、光散乱（LS）、分散ラマン分光、又はフレームイオン化検出（FID）。これらの技術は、当業者に周知であり、あとは苦もなく適用可能である。本発明の方法は、好ましくは自動化により支援される。例えば、サンプルの処理又は前処理をロボット工学により自動化することが可能である。データの処理及び比較は、好ましくは、好適なコンピュータープログラム及びデータベースにより支援される。本明細書で上に記載したような自動化により、本発明の方法をハイスループット方式で使用することが可能となる。
【００５７】
さらに、アナライトはまた、特異的な化学的又は生物学的アッセイにより測定することができる。該アッセイは、サンプル中のアナライトを特異的に検出することを可能にする手段を含む。好ましくは、該手段は、アナライトの化学構造を特異的に認識することができるか、又は他の化合物と反応する能力若しくは生物学的読取り系で応答を引き起こす能力（例えば、レポーター遺伝子の誘導）に基づいてアナライトを特異的に同定することができる。代謝物質の化学構造を特異的に認識することができる手段は、好ましくは化学構造と特異的に相互作用する抗体又は他のタンパク質、例えば、受容体若しくは酵素である。例えば、特異的抗体は、当技術分野で周知の方法により代謝物質を抗原として用いて取得することができる。本明細書に記載する抗体は、ポリクロナール抗体及びモノクロナール抗体の両方、さらにはそれらのフラグメント、例えば、抗原又はハプテンに結合することができるFv、Fab、及びF(ab)2フラグメントを含む。本発明はまた、所望の抗原特異性を呈する非ヒトドナー抗体のアミノ酸配列とヒトアクセプター抗体の配列とが組み合わされたヒト化ハイブリッド抗体を含む。さらに、一本鎖抗体が含まれる。ドナー配列は、通常、ドナーの少なくとも抗原結合性アミノ酸残基を含むだろうが、ドナー抗体の他の構造上及び／又は機能上適合するアミノ酸残基をも含み得る。そのようなハイブリッドは、当技術分野で周知のいくつかの方法により調製することができる。代謝物質を特異的に認識できる好適なタンパク質は、好ましくは該代謝物質の代謝変換に関与する酵素である。該酵素は、代謝物質を基質として使用してよく、又は基質を代謝物質に変換してもよい。さらに、該抗体は、代謝物質を特異的に認識するオリゴペプチドを生成する基礎として使用され得る。これらのオリゴペプチドは、例えば、該代謝物質に対する酵素の結合ドメイン又は結合ポケットを含む。好適な抗体及び／又は酵素に基づくアッセイは、RIA（ラジオイムノアッセイ）、ELISA（酵素結合免疫吸着アッセイ）、サンドイッチ酵素免疫検査、電気化学発光サンドイッチ免疫アッセイ（ECLIA）、解離促進ランタニド蛍光免疫アッセイ（DELFIA）、又は固相免疫検査であり得る。さらに、他の化合物と反応する能力に基づいて、すなわち、特異的な化学反応により、代謝物質を同定することもできる。さらに、生物学的読取り系で応答を引き起こす能力に基づいて、サンプル中の代謝物質を測定することができる。生物学的応答は、サンプルに含まれる代謝物質の存在及び／又は量を示す読取り値として検出される。生物学的応答は、例えば、遺伝子発現の誘導又は細胞若しくは生物の表現型応答であり得る。
【００５８】
「参照」という用語は、肝臓毒性に相関し得るアナライトの群の各アナライトの特徴的特性の値を指す。そのような参照結果は、好ましくは、ダゾメット、ジメチルホルムアミド、テトラヒドロフラン、酢酸シプロテロン、テトラヒドロフラン、酢酸シプロテロン、トキサフェン又はパラセタモールと接触させた被験体に由来するサンプルから得られる。被験体には、該化合物が生体利用可能である限り、局所又は全身投与方法の各方法で該化合物と接触させることができる。参照結果は、アナライトの量に関して本明細書中上述したように測定することができる。あるいは、とはいえ同様に好ましいことであるが、参照結果は、ダゾメット、ジメチルホルムアミド、テトラヒドロフラン、酢酸シプロテロン、テトラヒドロフラン、酢酸シプロテロン、トキサフェン若しくはパラセタモールと接触させていない被験体、又は肝臓毒性に関して健康、そしてより好ましくは他の病気に関しても健康な被験体に由来するサンプルから得ることができる。さらに、参照は、同様に好ましくは、計算された参照、最も好ましくは、検査される被験体を含む個体集団に由来するアナライトの群の各アナライトについての相対量又は絶対量の平均値又は中央値であり得る。しかし、参照計算値を決定するために検査される被験体の集団は、好ましくは見かけ上健康な被験体（例えば未処置）からなるか、あるいはその集団内の検査対象被験体（複数可）の存在のために平均又は中央値の有意な変化に対して統計学的に耐えるのに十分に大きい数の見かけ上健康な被験体を含むことは理解されるだろう。該個体集団のアナライトの絶対量又は相対量は、本明細書の他の箇所に明記されるように測定することができる。好適な参照値、好ましくは平均値又は中央値の計算方法は、当技術分野で周知である。上に記載する被験体集団は、複数の被験体、好ましくは少なくとも5、10、50、100、1,000又は10,000の被験体を含む。本発明の方法により診断される被験体と該複数の被験体の被験体とは、同一種であることは理解されるだろう。
【００５９】
より好ましくは、参照結果、すなわちアナライトの少なくとも1つの特徴的特性の値は、データベースのような好適なデータ記憶媒体中に記憶されて、従って、将来の診断にも利用可能となる。これによりまた、疾患の素因の効率的な診断が可能となる。なぜなら、対応する参照サンプルの取得の対象となった被験体が（実際に）肝臓毒性を発症したことを（将来的に）確認した後、データベース中の好適な参照結果を同定し得るからである。
【００６０】
「比較」という用語は、上に詳細に記載した測定の結果、すなわち、アナライトの定性的又は定量的な測定の結果が、参照結果と同一であるか若しくは類似しているか、又は参照結果と異なっているかを評価することを指す。
【００６１】
ダゾメット、ジメチルホルムアミド、テトラヒドロフラン、酢酸シプロテロン、テトラヒドロフラン、酢酸シプロテロン、トキサフェン又はパラセタモールと接触させた被験体に由来するサンプルから参照結果を取得する場合、試験サンプルから得られる検査結果と上述の参照結果との間の同一度又は類似度に基づいて、すなわち、上述のアナライトに関する同一若しくは類似の定性的若しくは定量的な組成に基づいて、肝臓毒性を診断することができる。特徴的特性の値、定量的測定の場合は強度値が同一であれば、試験サンプルの結果と参照結果とは同一である。特徴的特性の値は同一であるが強度値に差があれば、それらの結果は類似している。そのような差は、好ましくは、有意ではなく、強度の値が参照値に基づいて少なくとも1〜99パーセンタイル、5〜95パーセンタイル、10〜90パーセンタイル、20〜80パーセンタイル、30〜70パーセンタイル、40〜60パーセンタイルの範囲内、参照値に基づいて50、60、70、80、90若しくは95パーセンタイルであることを特徴とする。
【００６２】
ダゾメット、ジメチルホルムアミド、テトラヒドロフラン、酢酸シプロテロン、テトラヒドロフラン、酢酸シプロテロン、トキサフェン又はパラセタモールと接触させていない被験体から参照結果を取得する場合、試験サンプルから得られる検査結果と上述の参照結果との間の差、すなわち、上述のアナライトに関する定性的若しくは定量的な組成の差に基づいて、肝臓毒性を診断することができる。上に明記されたように計算された参照を使用するのであれば、同じことがあてはまる。差は、アナライトの絶対量若しくは相対量の増大（代謝物質の上方制御と称されることもある；実施例も参照されたい）又は該量のいずれかの減少若しくはアナライトの検出可能量の不在（代謝物質の上方制御と称されることもある；実施例も参照されたい）であり得る。好ましくは、相対量又は絶対量の差は、有意である。すなわち、参照値に基づいて、45〜55パーセンタイル、40〜60パーセンタイル、30〜70パーセンタイル、20〜80パーセンタイル、10〜90パーセンタイル、5〜95パーセンタイル、1〜99パーセンタイルの範囲外にある。
【００６３】
好ましくは、参照と比較したアナライトの量は以下のように異なる：
（i）雄のサンプル中において：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリン、これらは全て増大し；並びに
（ii）雌被験体のサンプル中において：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリン、これらは全て増大する。本明細書に記載する特異的アナライトの場合、相対量の変化（すなわち「倍率」変化）の好ましい値又は変化の種類（すなわち、より多い若しくはより少ない相対量及び／若しくは絶対量をもたらす「上方」制御若しくは「下方」制御）は、以下の実施例に示される。
【００６４】
比較は、好ましくは自動化により支援される。例えば、2つの異なるデータセット（例えば、特徴的特性（複数可）の値を含むデータセット）を比較するためのアルゴリズムを含む好適なコンピュータープログラムを使用し得る。そのようなコンピュータープログラム及びアルゴリズムは、当技術分野で周知である。上に述べたとおりであるが、手動で比較を行うこともできる。
【００６５】
アナライトを測定する上述の方法は、デバイスにおいて実装することができる。本明細書で用いるデバイスは、少なくとも上述の手段を含む。さらに、デバイスは、好ましくは、アナライトの検出された特徴的特性（複数可）、同様に好ましくは、測定されたシグナル強度を、比較及び評価する手段をも含む。デバイスの手段は、好ましくは互いに作動可能に連結される。作動可能に手段を連結する方法は、デバイスに組み込まれる手段の種類に依存するだろう。例えば、自動で定性的若しくは定量的に代謝物質を測定する手段を適用する場合、診断を容易にするために、自動作動手段により得られたデータを、例えばコンピュータープログラムにより処理することができる。好ましくは、そのような場合、手段は、単一のデバイス内に含まれる。従って、該デバイスは、アナライト用の分析ユニットと、得られた診断用データを処理するためのコンピューターユニットとを含み得る。あるいは、テストストリップのような手段をアナライトの測定に使用する場合、診断手段は、上に記載するように肝臓毒性に関連することがわかっている結果データ又は健康な被験体の指標となる結果データに測定結果データを割り当てる対照ストリップ又は対照表を含み得る。好ましいデバイスは、専門臨床医の特別な知識がなくても適用可能なもの、例えば、単にサンプルを充填することだけを必要とするテストストリップ又は電子デバイスである。
【００６６】
あるいは、アナライトの測定方法は、好ましくは互いに作動可能に連結されたいくつかのデバイスを含むシステムで実装することができる。具体的には、上に詳細に記載したように本発明の方法を実施できるように手段を連結する必要がある。従って、作動可能に連結された（operatively linked）とは、本明細書で用いる場合、好ましくは、機能的に連結されたことを意味する。本発明のシステムに使用される手段に応じて、該手段間のデータ伝送を可能にする手段、例えば、ガラスファイバーケーブル及びハイスループットデータ伝送用の他のケーブルを用いて各手段を他の手段に接続することにより、該手段を機能的に連結し得る。それにもかかわらず、本発明では、例えばLAN（無線LAN、W-LAN）を介する手段間の無線データ転送も想定される。好ましいシステムは、アナライトを測定する手段を含む。本明細書で用いるアナライトの測定手段は、アナライトの分離手段（例えばクロマトグラフィーデバイス）、及びアナライトの測定手段（例えば質量分析デバイス）を含む。好適なデバイスについては、上に詳細に記載されている。本発明のシステムに使用される好ましい化合物分離手段には、クロマトグラフィーデバイス、より好ましくは、液体クロマトグラフィー用、HPLC用、及び／又はガスクロマトグラフィー用のデバイスが含まれる。好ましい化合物測定用デバイスとしては、質量分析デバイス、より好ましくは、GC-MS、LC-MS、直接注入質量分析、FT-ICR-MS、CE-MS、HPLC-MS、四重極質量分析、逐次連結質量分析（MS-MS若しくはMS-MS-MSを含む）、ICP-MS、Py-MS又はTOFが挙げられる。好ましくは、分離手段と測定手段とを互いに結合させる。最も好ましくは、本明細書の他の箇所に詳細に記載されるように、LC-MS及び／又はGC-MSを本発明のシステムに使用する。さらに、アナライトの測定手段から得られた結果の比較手段及び／又は分析手段も含まれる。結果の比較手段及び／又は分析手段は、少なくとも1つのデータベース、及び結果を比較するために実装されるコンピュータープログラムを含み得る。また、上述のシステム及びデバイスの好ましい実施形態については、以下に詳細に記載する。
【００６７】
有利なことに、本発明の根底となる研究において、上述のアナライトの少なくとも5つの群の量が、肝臓毒性、具体的にはダゾメット、ジメチルホルムアミド、テトラヒドロフラン、酢酸シプロテロン、テトラヒドロフラン、酢酸シプロテロン、トキサフェン又はパラセタモールにより誘導される肝臓毒性のバイオマーカーとして機能することが見出された。上述のアナライトの全てを測定することによって、本方法の特異性及び精度をより改善することができる。これらの特異的なアナライトに関するメタボロームの定量的及び／又は定性的組成の変化は、肝臓毒性の指標となる。肝臓毒性を診断するために現在使用されている形態学的、生理学的及び生化学的パラメーターは、本発明によって提供されるバイオマーカーの測定と比較して特異性が低く、また感度も低い。本発明によって、化合物の肝臓毒性を、より効率的かつ確実に評価することができる。さらに、上記知見に基づいて、肝臓毒性の治療に有用な薬物のスクリーニングアッセイが実行可能である。
【００６８】
本発明は、原則として、雄被験体において肝臓毒性を診断するための診断用デバイス又は組成物の製造のための、以下のアナライト、すなわち4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも1つ、好ましくは少なくとも5つ又はそれらの検出手段の使用、あるいは、雌被験体において肝臓毒性を診断するための診断用デバイス又は組成物の製造のための、以下のアナライト、すなわちグリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも1つ、好ましくは少なくとも5つ又はそれらの検出手段の使用に関する。
【００６９】
上記の用語の定義及び説明は全て、以下で特に述べない限り、上述した方法及び以下にさらに記載する全ての他の実施形態に、変更すべきところは変更して適用する。
【００７０】
上記に続き、本発明はまた、化合物が被験体において肝臓毒性誘導能を有するかどうか判定する方法であって、
（a）肝臓毒性誘導能を有することが疑われる化合物と接触させた雄被験体のサンプル中において、以下のアナライト、すなわち4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも1つ、好ましくは少なくとも5つの量、又は肝臓毒性誘導能を有することが疑われる化合物と接触させた雌の試験サンプル中において、以下のアナライト、すなわちグリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも1つ、好ましくは少なくとも5つの量を測定するステップ；並びに
（b）ステップ（a）で測定された量を参照と比較するステップであって、それによって該化合物の肝臓毒性誘導能を判定する前記ステップ
を含む、前記方法を想定する。
【００７１】
前記方法の好ましい実施形態において、前記化合物は、ダゾメット、ジメチルホルムアミド、テトラヒドロフラン、酢酸シプロテロン、テトラヒドロフラン、酢酸シプロテロン、トキサフェン又はパラセタモールからなる群より選択される少なくとも1つの化合物である。
【００７２】
好ましくは、前記参照は、肝臓毒性に罹患している被験体、又はダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させた被験体に由来する。より好ましくは、試験サンプルと参照においてアナライトの量が本質的に同一であることは、肝臓毒性の指標となる。
【００７３】
また好ましくは、前記参照は、肝臓毒性に罹患していないことがわかっている被験体、又はダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させていない被験体に由来する。もう一つの方法としては、同様に好ましいことであるが、前記参照は、被験体集団におけるアナライトについて計算された参照である。より好ましくは、参照と比較して試験サンプル中においてアナライトの量が異なることは、肝臓毒性の指標となる。
【００７４】
肝臓毒性の指標となる好ましい量は、本明細書の他の箇所に開示されている。
【００７５】
本発明はまた、肝臓毒性の治療用物質を同定する方法であって、
（a）肝臓毒性治療能を有することが推測される候補物質と接触させた、肝臓毒性に罹患している雄被験体のサンプル中において、以下のアナライト、すなわち4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも1つ、好ましくは少なくとも5つの量、又は肝臓毒性治療能を有することが推測される候補物質と接触させた、肝臓毒性に罹患している雌被験体のサンプル中において、以下のアナライト、すなわちグリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも1つ、好ましくは少なくとも5つの量を測定するステップ；並びに
（b）ステップ（a）で測定した量を参照と比較するステップであって、それによって肝臓毒性治療能を有する物質を同定する前記ステップ
を含む、前記方法に関する。
【００７６】
具体的には、肝臓毒性の治療に有用な物質を同定する方法の場合、前記参照は、好ましくは、ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させた被験体、又は肝臓毒性に罹患している被験体に由来する。より好ましくは、試験サンプルと参照において代謝物質の量が異なることは、肝臓毒性の治療に有用な物質の指標となる。
【００７７】
具体的には、肝臓毒性治療能を有する物質の指標となるのは、参照と比較して以下のように異なるアナライトの量である：（i）雄のサンプル中において：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリン、これらは全て減少し、並びに（ii）雌被験体のサンプル中において：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリン、これらは全て減少する。
【００７８】
あるいは、前記参照は、好ましくは、ダゾメット、ジメチルホルムアミド、テトラヒドロフラン、酢酸シプロテロン、テトラヒドロフラン、酢酸シプロテロン、トキサフェン若しくはパラセタモールと接触させていない被験体、又は肝臓毒性に罹患していないことがわかっている被験体に由来するか、あるいは被験体集団におけるアナライトについて計算された参照であってもよい。このような参照を使用する場合、試験サンプルと参照における代謝物質の量が同一又は類似であることは、肝臓毒性の治療に有用な物質の指標となる。
【００７９】
「肝臓毒性の治療用物質」という用語は、本明細書の他の箇所に記載する肝臓毒性を誘導する生物学的メカニズムを直接妨害し得る化合物を指す。従って、共役（conjugation）及び／又は酸化に関与する酵素の活性が増大し、胆汁排出が改善又はモジュレートされ得る。あるいは、物質は、例えば、前記過程に関与する酵素又は他の因子の発現をモジュレートすることによって、間接的にこれらの活性に影響を与え得ることが想定される。本発明の方法によって同定される物質は、有機及び無機化学物質、例えば小分子、ポリヌクレオチド、オリゴヌクレオチド、ペプチド、ポリペプチド（抗体を含む）、又は他の人工的若しくは生物学的多量体であり得る。好ましくは、物質は、薬物、プロドラッグ、又は薬物若しくはプロドラッグの開発のためのリード物質として適する。
【００８０】
本発明の方法を、肝臓毒性の治療のための薬物の同定、又は化合物の毒性学的評価（すなわち化合物が肝臓毒性誘導能を有するかどうかを判定する）に用いようとする場合、統計学的理由のために複数の被験体の試験サンプルを検査し得ることは理解されるだろう。好ましくは、検査被験体のコホート内のメタボロームは、例えば検査対象の化合物以外の要因によって生じる差異を避けるために可能な限り類似である。前記方法に用いられる被験体は、好ましくはげっ歯動物などの実験動物、より好ましくはラットである。さらに、前記実験動物は、好ましくは、本発明の方法の完了後に犠牲にすることは理解されるだろう。コホート検査及び参照動物の全ての被験体は、あらゆる環境差の影響を避けるために同一条件におくべきである。そのような動物を提供する好適な条件及び方法は、WO2007/014825号に詳細に記載されている。前記条件は、参照により本明細書に援用される。
【００８１】
本発明はまた、以下のアナライト、すなわち4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリン、及び／又は少なくとも以下のアナライト、すなわちグリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンについての特性値を含む、データ集合に関する。
【００８２】
「データ集合」という用語は、物理的及び／又は論理的に一まとめにし得る一群のデータを指す。従って、データ集合は、単一のデータ記憶媒体又は互いに作動可能に連結された物理的に分離されたデータ記憶媒体に組込まれ得る。好ましくは、データ集合は、データベースを利用して実装される。従って、本明細書で用いるデータベースは、好適な記憶媒体上のデータ集合を含む。さらに、データベースは、好ましくは、データベース管理システムをも含む。データベース管理システムは、好ましくは、ネットワーク型、階層型、又はオブジェクト指向型のデータベース管理システムである。その上さらに、データベースは、連邦データベース又は統合データベースであってもよい。より好ましくは、データベースは、分散型（連邦）システムとして、例えばクライアントサーバーシステムとして実装されるだろう。より好ましくは、データベースは、検索アルゴリズムにより試験データセットをデータ集合に含まれるデータセットと比較できるように構築される。具体的には、そのようなアルゴリズムを用いて、肝臓毒性の指標となる類似若しくは同一のデータセットが得られるように、データベースを検索することが可能である（例えば、クエリー検索）。従って、データ集合で同一若しくは類似のデータセットを同定できれば、試験データセットは、肝臓毒性に関連付けられるだろう。その結果として、データ集合から得られた情報を用いることにより、被験体から得られた試験データセットに基づいて肝臓毒性を診断することができる。
【００８３】
さらに、本発明は、前記データ集合を含むデータ記憶媒体に関する。
【００８４】
本明細書で用いる「データ記憶媒体」という用語は、単一の物理的要素に基づくデータ記憶媒体、例えば、CD、CD-ROM、ハードディスク、光記憶媒体、又はディスケットを含む。さらに、この用語は、好ましくはクエリー検索に好適な方式で上述のデータ集合を提供するように互いに作動可能に連結された物理的に分離された要素よりなるデータ記憶媒体をも含む。
【００８５】
本発明はまた、
（a）サンプルの代謝物質の特性値を比較する手段と、それと作動可能に連結された
（b）本発明のデータ記憶媒体
とを含むシステムに関する。
【００８６】
本明細書で用いる「システム」という用語は、互いに作動可能に連結された種々の手段に関する。該手段は、単一のデバイスに組み込んでよく、又は互いに作動可能に連結された物理的に分離されたデバイスに組み込んでもよい。アナライトの特性値を比較する手段は、好ましくは、上で述べたような比較のアルゴリズムに基づいて動作する。データ記憶媒体は、好ましくは、それぞれの記憶データセットが肝臓毒性の指標となる上述のデータ集合又はデータベースを含む。従って、本発明のシステムを用いれば、データ記憶媒体に記憶されたデータ集合に試験データセットが含まれるかどうかを同定することが可能である。その結果として、本発明のシステムは、肝臓毒性を診断する際の診断手段として利用され得る。
【００８７】
システムの好ましい実施形態では、サンプルの代謝物質の特性値を測定する手段が含まれる。
【００８８】
「代謝物質の特性値を測定する手段」という用語は、好ましくは、アナライトを測定するための上述のデバイス、例えば、質量分析デバイス、NMRデバイス、又はアナライトの化学的アッセイ若しくは生物学的アッセイを行うためのデバイスに関する。
【００８９】
本発明はまた、以下のアナライト、すなわち4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも1つ、好ましくは少なくとも5つ、及び／又は以下のアナライト、すなわちグリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも1つ、好ましくは少なくとも5つ、あるいはそれらの測定手段、を含む診断用組成物を含む。
【００９０】
さらに、
（a）以下のアナライト、すなわち4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも1つ、好ましくは少なくとも5つ、及び／又は以下のアナライト、すなわちグリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも1つ、好ましくは少なくとも5つ、の特性値を測定する手段；並びに
（b）手段（a）によって測定された特性値に基づいて肝臓毒性を診断する手段
を含む、診断用デバイスが含まれる。
【００９１】
「診断手段」という用語は、好ましくは、本明細書の他の箇所に詳細に明記されるような診断用デバイス、システム、又は生物学的アッセイ若しくは化学的アッセイに関する。
【００９２】
「代謝物質群の特性値（characteristic value）を測定する手段」という表現は、代謝物質（複数可）を特異的に認識可能なデバイス又は作用剤を指す。好適なデバイスは、分光測定デバイス、例えば、質量分析デバイス、NMRデバイス、又は代謝物質の化学的アッセイ若しくは生物学的アッセイを行うためのデバイスであり得る。好適な作用剤は、代謝物質を特異的に検出する化合物であり得る。本明細書で用いる検出は、二段階法であってもよい。すなわち、最初に、化合物を検出対象の代謝物質に特異的に結合させ、続いて、検出可能なシグナル、例えば、蛍光シグナル、化学発光シグナル、放射性シグナルなどを発生させることが可能である。検出可能なシグナルを発生させるために、さらなる化合物を必要としてよい。こうした化合物は全て、「代謝物質群の特性値を測定する手段」という用語に含まれる。代謝物質に特異的に結合する化合物は、本明細書の他の箇所に詳細に記載されており、好ましくは酵素、抗体、リガンド、受容体、又は代謝物質に特異的に結合する他の生物学的分子若しくは化学物質を含む。
【００９３】
上記に参照した参考文献は全て、以上の説明で明示的に参照されたそれらの具体的な開示内容だけでなくそれらの全開示内容に関して、参照により本明細書に援用される。
【実施例】
【００９４】
以下の実施例は、本発明を説明する目的のためにすぎない。これらは、本発明の範囲をなんらかの観点で限定するものと何ら解釈されるべきではない。
【００９５】
実施例：肝臓毒性に関連するバイオマーカー
それぞれ5匹の雄及び雌のラットの群に、強制飼養により示した化合物（以下の表を参照）を10及び100 mg/kg体重で1日1回、28日間にわたり投与した。それぞれ5匹の雄及び雌のラットの別の群を対照として使用した。処置期間の開始前に、供給時に62〜64日齢であった動物を7日間かけて居住及び環境条件に順応させた。動物集団の全ての動物を同じ一定温度（20〜24±3℃）及び同じ一定湿度（30〜70％）の条件に置いた。動物集団の各動物は別のケージに維持した。動物集団の動物には不断給餌を行った。使用する食餌は、化学物質又は微生物の汚染物を実質的に含まないものとした。飲料水も自由に給餌した。従って、水は、欧州飲料水指令（European Drinking Water Directive）98/83/EGにある規定に従って化学物質及び微生物の汚染物を含まないものとした。日照時間は、明条件12時間の後、暗条件12時間とした（6:00〜18:00の12時間の明るさ、及び18:00〜6:00の12時間の暗闇）。
【００９６】
7日目、14日目及び28日目の朝に、絶食させた麻酔動物の眼窩後（retroorbital）静脈叢から血液を採取した。各動物から、EDTAを抗凝血剤として用いて1 mlの血液を採取した。サンプルを遠心して血漿を調製した。全ての血漿サンプルをN2雰囲気で満たし、その後分析まで-80℃で保存した。
【００９７】
質量分析法に基づく代謝物質のプロフィール分析のために、血漿サンプルを抽出し、極性及び非極性画分を得た。GC-MS分析のため、非極性画分を酸性条件下でメタノールで処理し、脂肪酸メチルエステルを得た。分析前に両方の画分をさらに、O-メチルヒドロキシアミン塩酸塩及びピリジンを用いてオキソ基をO-メチルオキシムに変換し、その後、シリル化剤を用いて誘導体化した。LC-MS分析においては、両方の画分を適当な溶媒混合物中で再構成した。逆相分離カラムを用いた勾配溶出によってHPLCを実施した。質量分析法による検出のため、メタノミクス（metanomics）専用技術を適用して、標的及び高感度MRM（多重反応モニター）プロファイリングを並行して行い、完全なスクリーニング分析を行った。
【００９８】
総合的な分析検証ステップの後、各アナライトについてのデータを、プールサンプルからのデータに対して正規化した。これらのサンプルは、プロセスの変動性を把握するため全プロセスにおいて並行して試験した。性別、投与群及び代謝物質に特異的な処置群の値の有意性は、ウェルチの検定を用いて、処置群の平均を各未処置群の平均と比較することによって判定した。正規化された処置群の値及びそれらの有意性は、さらなる統計処理及びデータマイニングプロセスのためにデータベースに供給した。
【００９９】
ラットの処置後の肝臓毒性の指標となる血漿代謝物質の群の変化を以下の表に示す。
【表１】
2015038497.tif 000003
【０１００】
【表２】
2015038497.tif 000004
【０１０１】
【表３】
2015038497.tif 000005
【０１０２】
【表４】
2015038497.tif 000006
【図１】
2015038497.tif 000007
【図２】
2015038497.tif 000008
【図３】
2015038497.tif 000009
【図４−１】
2015038497.tif 000010
【図４−２】
2015038497.tif 000011
【図５】
2015038497.tif 000012
【図６】
2015038497.tif 000013
【図７−１】
2015038497.tif 000014
【図７−２】
2015038497.tif 000015
【図８−１】
2015038497.tif 000016
【図８−２】
2015038497.tif 000017
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
肝臓毒性を診断する方法であって、雄または雌に特異的な組み合わせのアナライトの量を肝臓毒性のバイオマーカーとして用いて該診断を行うことを特徴とし、
（a）肝臓毒性に罹患していることが疑われる雄被験体の試験サンプル中において、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの量、又は肝臓毒性に罹患していることが疑われる雌被験体の試験サンプル中において、少なくとも以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも5つの量を測定するステップ、並びに
（b）ステップ（a）において測定された量を参照と比較するステップであって、それによって肝臓毒性を診断する前記ステップ
を含む、前記方法。
【請求項２】
前記被験体が、肝臓毒性誘導能を有することが疑われる化合物と接触させたものである、請求項1に記載の方法。
【請求項３】
化合物が被験体において肝臓毒性誘導能を有するかどうか判定する方法であって、雄または雌に特異的な組み合わせのアナライトの量を肝臓毒性のバイオマーカーとして用いて該判定を行うことを特徴とし、
（a）肝臓毒性誘導能を有することが疑われる化合物と接触させた雄被験体のサンプル中において、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの量、又は肝臓毒性誘導能を有することが疑われる化合物と接触させた雌の試験サンプル中において、以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG）、1,2-ジオレオイル-sn-グリセロ-3-ホスファチジル-L-セリン、リノール酸（C18:cis[9,12]2）若しくはホスファチジルコリンのうち少なくとも5つの量を測定するステップ；並びに
（b）ステップ（a）で測定された量を参照と比較するステップであって、それによって該化合物の肝臓毒性誘導能を判定する前記ステップ
を含む、前記方法。
【請求項４】
前記化合物が、ダゾメット、ジメチルホルムアミド、テトラヒドロフラン、酢酸シプロテロン、テトラヒドロフラン、酢酸シプロテロン、トキサフェン又はパラセタモールからなる群より選択される少なくとも1つの化合物である、請求項2又は3に記載の方法。
【請求項５】
前記参照が、（i）肝臓毒性に罹患している被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させた被験体に由来する、請求項1〜4のいずれか1項に記載の方法。
【請求項６】
試験サンプルと参照においてアナライトの量が本質的に同一であることが、肝臓毒性の指標となる、請求項5に記載の方法。
【請求項７】
前記参照が、（i）肝臓毒性に罹患していないことがわかっている被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させていない被験体に由来する、請求項1〜4のいずれか1項に記載の方法。
【請求項８】
前記参照が、被験体の集団におけるアナライトについて計算された参照である、請求項1〜4のいずれか1項に記載の方法。
【請求項９】
試験サンプル中においてアナライトの量が参照と比較して異なることが、肝臓毒性の指標となる、請求項7又は8に記載の方法。
【請求項１０】
肝臓毒性の指標となるのが、参照と比較して以下のように異なるアナライトの量である、請求項7〜9のいずれか1項に記載の方法。
（i）雄被験体のサンプル中において：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリン、これらは全て増大し、並びに
（ii）雌被験体のサンプル中において：グリセロール-3-リン酸、コエンザイム Q9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリン、これらは全て増大する。
【請求項１１】
肝臓毒性の治療用物質を同定する方法であって、雄または雌に特異的な組み合わせのアナライトの量を肝臓毒性のバイオマーカーとして用いて該同定を行うことを特徴とし、
（a）肝臓毒性治療能を有することが推測される候補物質と接触させた、肝臓毒性に罹患している雄被験体のサンプル中において、以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの量、又は肝臓毒性治療能を有することが推測される候補物質と接触させた、肝臓毒性に罹患している雌被験体のサンプル中において、以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの量を測定するステップ；並びに
（b）ステップ（a）で測定した量を参照と比較するステップであって、それによって肝臓毒性治療能を有する物質を同定する前記ステップ
を含む、前記方法。
【請求項１２】
前記参照が、（i）肝臓毒性に罹患している被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させた被験体に由来する、請求項11に記載の方法。
【請求項１３】
試験サンプルと参照においてアナライトの量が異なることが、肝臓毒性治療能を有する物質の指標となる、請求項12に記載の方法。
【請求項１４】
肝臓毒性治療能を有する物質の指標となるのが、参照と比較して以下のように異なるアナライトの量である、請求項11〜13のいずれか1項に記載の方法。
（i）雄被験体のサンプル中において：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリン、これらは全て減少し、並びに
（ii）雌被験体のサンプル中において：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリン、これらは全て減少する。
【請求項１５】
前記参照が、（i）肝臓毒性に罹患していないことがわかっている被験体、又は（ii）ダゾメット、ジメチルホルムアミド、テトラヒドロフラン、酢酸シプロテロン、テトラヒドロフラン、酢酸シプロテロン、トキサフェン若しくはパラセタモールからなる群より選択される少なくとも1つの化合物と接触させていない被験体に由来する、請求項11に記載の方法。
【請求項１６】
前記参照が、被験体の集団におけるアナライトについて計算された参照である、請求項11に記載の方法。
【請求項１７】
試験サンプルと参照においてアナライトの量が本質的に同一であることが、肝臓毒性治療能を有する物質の指標となる、請求項15又は16に記載の方法。
【請求項１８】
前記肝臓毒性が、肝細胞壊死、肝炎、脂肪症、肝硬変、リン脂質症、胆汁鬱滞、胆管炎、肝静脈血栓症、肝腫瘍からなる群より選択される少なくとも1つの障害又は疾患を含む、請求項1〜17のいずれか1項に記載の方法。
【請求項１９】
アナライトの群の測定が、質量分析（MS）を含む、請求項1〜18のいずれか1項に記載の方法。
【請求項２０】
前記質量分析が、液体クロマトグラフィー（LC）-MS又はガスクロマトグラフィー（GC）-MSである、請求項19に記載の方法。
【請求項２１】
前記サンプルが、前記被験体の体液のサンプルである、請求項1〜20のいずれか1項に記載の方法。
【請求項２２】
前記体液が血液である、請求項21に記載の方法。
【請求項２３】
前記被験体が哺乳動物である、請求項1〜22のいずれか1項に記載の方法。
【請求項２４】
（a）雄被験体診断用の以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つについての特性値、及び／又は雌被験体診断用の少なくとも以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンについての特性値を含む、データ集合を含むデータ記憶媒体と、
（b）前記（a）と作動可能に連結された、サンプルの代謝物質の特性値を比較する手段と、
を含む、雄または雌に特異的な組み合わせのアナライトの量を肝臓毒性のバイオマーカーとして用いて肝臓毒性を診断するためのシステム。
【請求項２５】
サンプル中のアナライトの特性値を測定する手段をさらに含む、請求項24に記載のシステム。
【請求項２６】
雄または雌に特異的な組み合わせのアナライトの量を肝臓毒性のバイオマーカーとして用いて肝臓毒性を診断するための診断用組成物であって、雄被験体診断用の以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つ、及び／又は雌被験体診断用の以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つ、あるいはそれらの測定手段、を含む診断用組成物。
【請求項２７】
雄または雌に特異的な組み合わせのアナライトの量を肝臓毒性のバイオマーカーとして用いて肝臓毒性を診断するための診断用デバイスであって、（a）雄被験体診断用の以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）、18:1 Lyso PC若しくはホスファチジルコリンのうち少なくとも5つの特性値、及び／又は雌被験体診断用の以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの特性値を測定する手段；並びに
（b）手段（a）によって測定された特性値に基づいて肝臓毒性を診断する手段
を含む、診断用デバイス。
【請求項２８】
雄または雌に特異的な組み合わせのアナライトの量を肝臓毒性のバイオマーカーとして用いて肝臓毒性を診断するための診断用デバイス若しくは組成物の製造のための、雄被験体診断用の以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）18:1 Lyso PC若しくはホスファチジルコリンのうち少なくとも5つ、及び／又は雌被験体診断用の以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの使用。
【請求項２９】
雄または雌に特異的な組み合わせのアナライトの量を肝臓毒性のバイオマーカーとして用いて肝臓毒性を診断するための診断用デバイス若しくは組成物の製造のための、雄被験体診断用の以下のアナライト：4-ヒドロキシフェニルピルビン酸、パルミチン酸（C16:0）、リノール酸（C18:cis[9,12]2）、アラキドン酸（C20:cis-[5,8,11,14]4）、ドコサヘキサエン酸（C22:cis[4,7,10,13,16,19]6）、α-トコフェロール、コレステロール、グリセロールリン酸、リグノセリン酸（C24:0）、ヘプタデカン酸（C17:0）、トリコサン酸（C23:0）、ミオ-イノシトール-2-一リン酸、ベヘン酸（C22:0）、4-ヒドロキシスフィンガニン、ネルボン酸（C24:1）、エイコサトリエン酸（C20:3）、グリセロール-3-リン酸、ホスファチジルコリン（C18:2, C20:4）、セラミド（d18:1, C24:1）、セラミド（d18:2, C24:0）、スフィンゴミエリン（d18:1, C16:0）、1,2-ジオレオイル-sn-グリセロ-3-ホスファチジル-L-セリン、ホスファチジルコリン（C18:0/C22:6）、リノール酸（C18:cis[9,12]2）18:1 Lyso PC若しくはホスファチジルコリンのうち少なくとも5つ、及び／又は雌被験体診断用の以下のアナライト：グリセロール-3-リン酸、コエンザイムQ9、グルコース、グリセロール、パルミチン酸（C16:0）、ステアリン酸（C18:0）、アラキドン酸（C20:cis-[5,8,11,14]4）、ドコサヘキサエン酸（C22:cis[4,7,10,13,16,19]6）、コレステロール、グリセロールリン酸、リグノセリン酸（C24:0）、ヘプタデカン酸（C17:0）、エイコサン酸（C20:0）、トリコサン酸（C23:0）、リン酸塩、ベヘン酸（C22:0）、4-ヒドロキシスフィンガニン、ネルボン酸（C24:1）、14-メチルヘキサデカン酸、エイコサトリエン酸（C20:3）、ID28x493、5-メトキシスフィンゴシン、エリスロ-スフィンゴシン、トレオニン、グルコース、セラミド（d18:1, C24:1）、ジアシルグリセリド（DAG）（C18:1, C18:2）、トリアシルグリセリド（TAG No 1）、1,2-ジオレオイル-sn-グリセロ-3-ホスファチジル-L-セリン、リノール酸（C18:cis[9,12]2）若しくはホスファチジルコリンのうち少なくとも5つの測定手段の使用。